【手続補正書】
【提出日】平成28年4月5日(2016.4.5)
【手続補正１】
【補正対象書類名】明細書
【補正対象項目名】０００９
【補正方法】変更
【補正の内容】
【０００９】
前記課題を解決するために、本発明のネイルプリント装置は、
印刷ヘッドと、
特定の指の爪を撮影して取得された第１の爪画像より前記爪の輪郭を第１の爪輪郭として認識する第１の爪輪郭認識部と、
前記第１の爪輪郭を表示する表示部と、
前記表示部に表示された前記第１の爪輪郭の一部の指定箇所に対して行われた爪輪郭の修正処理に応じて前記指定箇所の形状を変形させて前記第１の爪輪郭を修正し、前記第１の爪輪郭の前記指定箇所以外は修正しない認識結果修正部と、
前記認識結果修正部により前記第１の爪輪郭の修正が行われた後に前記特定の指を撮影して取得された第２の爪画像より前記爪の輪郭を第２の爪輪郭として認識し、前記指定箇所に対して行われた前記修正処理を前記第２の爪輪郭に適用して修正認識爪輪郭を取得する第２の爪輪郭認識部と、
前記修正認識爪輪郭の領域内に印刷を施すように前記印刷ヘッドを制御する印刷制御部と、
を備えていることを特徴としている。
【手続補正２】
【補正対象書類名】明細書
【補正対象項目名】００１０
【補正方法】変更
【補正の内容】
【００１０】
また、本発明のネイルプリント装置の印刷方法は、
特定の指の爪を撮影して取得した第１の爪画像より前記爪の輪郭を第１の爪輪郭として認識し、
前記第１の爪輪郭を表示部に表示し、
前記表示部に表示された前記第１の爪輪郭の一部の指定箇所に対して行われた爪輪郭の修正処理に応じて前記指定箇所の形状を変形させて前記第１の爪輪郭を修正し、前記第１の爪輪郭の前記指定箇所以外は修正せず、
前記第１の爪輪郭の修正が行われた後に前記特定の指を撮影して取得された第２の爪画像より前記爪の輪郭を第２の爪輪郭として認識し、
前記指定箇所に対して行われた前記修正処理を前記第２の爪輪郭に適用して修正認識爪輪郭を取得し、
前記修正認識爪輪郭の領域内に印刷ヘッドにより印刷を施すことを特徴としている。
【手続補正３】
【補正対象書類名】明細書
【補正対象項目名】００１１
【補正方法】変更
【補正の内容】
【００１１】
また、本発明のプログラムは、
コンピュータに、
特定の指の爪を撮影して取得された第１の爪画像より前記爪の輪郭を第１の爪輪郭として認識させ、
前記第１の爪輪郭を表示部に表示させ、
前記表示部に表示されている前記第１の爪輪郭の一部の指定箇所に対して行われた爪輪郭の修正処理に応じて前記指定箇所の形状を変形させて前記第１の爪輪郭を修正させ、前記第１の爪輪郭の前記指定箇所以外は修正させず、
前記第１の爪輪郭を修正させた後に前記特定の指を撮影して取得された第２の爪画像より前記爪の輪郭を第２の爪輪郭として認識させ、
前記指定箇所に対して行われた前記修正処理を前記第２の爪輪郭に適用させて前記第２の爪輪郭を修正させて修正認識爪輪郭を取得させ、
前記修正認識爪輪郭の領域内に印刷を施すように印刷ヘッドを制御させることを特徴としている。
【手続補正４】
【補正対象書類名】特許請求の範囲
【補正対象項目名】全文
【補正方法】変更
【補正の内容】
【特許請求の範囲】
【請求項１】
印刷ヘッドと、
特定の指の爪を撮影して取得された第１の爪画像より前記爪の輪郭を第１の爪輪郭として認識する第１の爪輪郭認識部と、
前記第１の爪輪郭を表示する表示部と、
前記表示部に表示された前記第１の爪輪郭の一部の指定箇所に対して行われた爪輪郭の修正処理に応じて前記指定箇所の形状を変形させて前記第１の爪輪郭を修正し、前記第１の爪輪郭の前記指定箇所以外は修正しない認識結果修正部と、
前記認識結果修正部により前記第１の爪輪郭の修正が行われた後に前記特定の指を撮影して取得された第２の爪画像より前記爪の輪郭を第２の爪輪郭として認識し、前記指定箇所に対して行われた前記修正処理を前記第２の爪輪郭に適用して修正認識爪輪郭を取得する第２の爪輪郭認識部と、
前記修正認識爪輪郭の領域内に印刷を施すように前記印刷ヘッドを制御する印刷制御部と、
を備えていることを特徴とするネイルプリント装置。
【請求項２】
前記第２の爪輪郭認識部は、前記指定箇所に対して行われた前記修正処理を前記第２の爪輪郭の前記指定箇所に対応する箇所に適用して前記第２の爪輪郭を修正し、前記第２の爪輪郭の前記指定箇所に対応する箇所以外は修正せずに前記修正認識爪輪郭を取得することを特徴とする請求項１に記載のネイルプリント装置。
【請求項３】
指が挿入される指挿入部を備え、
前記認識結果修正部における前記第１の爪輪郭に対する前記修正処理は、前記指挿入部に前記特定の指が挿入されていない状態で行われることを特徴とする請求項１又は請求項２に記載のネイルプリント装置。
【請求項４】
指が挿入される指挿入部と、前記指挿入部に挿入されている前記指を撮影する撮影部と、前記第１の爪画像及び前記第１の爪輪郭のデータを記憶する記憶部と、を備え、
前記表示部は、
前記特定の指が前記指挿入部に挿入されているとき、前記撮影部により撮影されている前記指の画像に基づいて前記第１の爪画像及び前記第１の爪輪郭を表示し、
前記特定の指が前記指挿入部に挿入されていないとき、前記記憶部に記憶されている前記データに基づいて前記第１の爪画像及び前記第１の爪輪郭を表示することを特徴とする請求項３に記載のネイルプリント装置。
【請求項５】
前記第１の爪輪郭に対して前記指定箇所を指定する操作部を備え、
前記第１の爪輪郭認識部は、前記爪の輪郭として、前記第１の爪輪郭と異なる複数の第１の爪輪郭候補を検出し、
前記操作部は、前記指定箇所として、前記第１の爪輪郭上の互いに異なる２箇所を第１の境界分岐点として指定し、
前記認識結果修正部は、前記２箇所の第１の境界分岐点の間を前記指定箇所とし、前記複数の第１の爪輪郭候補のうちの、前記第１の爪輪郭に対して前記２箇所の第１の境界分岐点の間を滑らかに繋いだ線に最も近いものを第１の修正爪輪郭として選択し、前記第１の境界分岐点と前記第１の修正爪輪郭とを用いて、前記第１の爪輪郭の修正を行うことを特徴とする請求項１から請求項４のいずれか一項に記載のネイルプリント装置。
【請求項６】
前記第２の爪輪郭認識部は、前記爪の輪郭として、前記第２の爪輪郭と異なる複数の第２の爪輪郭候補を検出し、
前記第２の爪輪郭における前記第１の境界分岐点に対応する箇所を第２の境界分岐点として検出し、
前記複数の第２の爪輪郭候補における前記第１の修正爪輪郭に対応するものを第２の修正爪輪郭として検出し、
前記第２の境界分岐点と前記第２の修正爪輪郭とを用いて、前記第２の爪輪郭の修正を行うことを特徴とする請求項５に記載のネイルプリント装置。
【請求項７】
前記第２の爪輪郭認識部は、
前記第２の爪画像から前記第２の爪輪郭を認識する際の検出閾値を、前記第２の爪輪郭が前記第１の爪輪郭を修正したものに近づく形状となるように、変更して設定し、
前記設定した前記検出閾値を用いて前記第２の爪画像から認識した爪輪郭を前記修正認識爪輪郭とすることを特徴とする請求項５又は請求項６に記載のネイルプリント装置。
【請求項８】
前記第１の爪輪郭に対して前記指定箇所を指定する操作部を備え、
前記第１の爪輪郭認識部は、前記爪の輪郭として、前記第１の爪輪郭と異なる複数の第１の爪輪郭候補を検出し、
前記操作部は、前記指定箇所として、前記第１の爪輪郭上の互いに異なる２箇所と、前記２箇所を繋ぐ修正線の形状を指定し、
前記認識結果修正部は、前記複数の第１の爪輪郭候補のうちの、前記第１の爪輪郭に対して前記修正線に最も近いものを、前記第１の修正爪輪郭として選択し、前記第１の修正爪輪郭を用いて前記第１の爪輪郭の修正を行うことを特徴とする請求項１から請求項４のいずれか一項に記載のネイルプリント装置。
【請求項９】
前記第１の爪輪郭に対して前記指定箇所を指定する操作部を備え、
前記操作部は、前記指定箇所として、前記第１の爪輪郭上の互いに異なる２箇所と、前記２箇所を繋ぐ修正線の形状を指定し、
前記認識結果修正部は、前記修正線における不自然な凹凸を減らすように前記修正線を補正して、又は、前記修正線をそのまま用いて、前記第１の爪輪郭の修正を行うことを特徴とする請求項１から請求項４のいずれか一項に記載のネイルプリント装置。
【請求項１０】
特定の指の爪を撮影して取得した第１の爪画像より前記爪の輪郭を第１の爪輪郭として認識し、
前記第１の爪輪郭を表示部に表示し、
前記表示部に表示された前記第１の爪輪郭の一部の指定箇所に対して行われた爪輪郭の修正処理に応じて前記指定箇所の形状を変形させて前記第１の爪輪郭を修正し、前記第１の爪輪郭の前記指定箇所以外は修正せず、
前記第１の爪輪郭の修正が行われた後に前記特定の指を撮影して取得された第２の爪画像より前記爪の輪郭を第２の爪輪郭として認識し、
前記指定箇所に対して行われた前記修正処理を前記第２の爪輪郭に適用して修正認識爪輪郭を取得し、
前記修正認識爪輪郭の領域内に印刷ヘッドにより印刷を施すことを特徴とするネイルプリント装置の印刷方法。
【請求項１１】
コンピュータに、
特定の指の爪を撮影して取得された第１の爪画像より前記爪の輪郭を第１の爪輪郭として認識させ、
前記第１の爪輪郭を表示部に表示させ、
前記表示部に表示されている前記第１の爪輪郭の一部の指定箇所に対して行われた爪輪郭の修正処理に応じて前記指定箇所の形状を変形させて前記第１の爪輪郭を修正させ、前記第１の爪輪郭の前記指定箇所以外は修正させず、
前記第１の爪輪郭を修正させた後に前記特定の指を撮影して取得された第２の爪画像より前記爪の輪郭を第２の爪輪郭として認識させ、
前記指定箇所に対して行われた前記修正処理を前記第２の爪輪郭に適用させて前記第２の爪輪郭を修正させて修正認識爪輪郭を取得させ、
前記修正認識爪輪郭の領域内に印刷を施すように印刷ヘッドを制御させることを特徴とするプログラム。